Podtech/llm-jp-corpus-v4-ja_patent huggingface dataset:
【手続補正書】
【提出日】平成17年11月10日(2005.11.10)
【手続補正１】
【補正対象書類名】特許請求の範囲
【補正対象項目名】全文
【補正方法】変更
【補正の内容】
【特許請求の範囲】
【請求項１】
以下の構造を有する化合物であって：
【化１】
2005511764.tif 000001
ここで、Ｒ１は、水素またはＣ１〜４アルキルであり；Ｒ２は、水素、Ｃ１〜４アルキル、あるいはＲ１およびＲ２は（ＣＨ２）２〜４と一緒になって、複素環式環を完成させ得；Ｒ３は、水素、ヒドロキシル、Ｃ１〜４アルコキシまたはフッ素であり；Ｒ４は、Ｃ１〜４アルキル、ハロゲン、ニトリル、Ｃ１〜６アルキルチオール、トリフルオロメチル、ＨＯによって置換されたＣ１〜４アルキルまたはＣ１〜３アルコキシから選択され、Ｒ５は、水素、ハロゲン、Ｃ１〜４アルコキシ、ニトリルであり、Ｗは、水素またはＣ（＝Ｏ）Ｃ１〜８アルキルである、化合物。
【請求項２】
請求項１に記載の化合物であって、ここでＲ１、Ｒ３およびＲ５は、水素であり、Ｒ２は、メチルであり、Ｒ４はハロゲン、メチルまたはトリフルオロメチル、ＨＯによって置換されるＣ１〜４アルキルまたはＣ１〜３アルコキシであり、Ｗは、水素である、化合物。
【請求項３】
請求項２に記載の化合物であって、一級アミンを有する炭素原子でＲ配置を有する立体異性体であるとさらに規定される、化合物。
【請求項４】
以下の構造を有する少なくとも１つの化合物および薬学的に受容可能な賦形剤を含む、組成物であり：
【化２】
2005511764.tif 000002
ここで、Ｒ１は、水素またはＣ１〜４アルキルであり；Ｒ２は、水素、Ｃ１〜４アルキル、あるいはＲ１およびＲ２は（ＣＨ２）２〜４と一緒になって、複素環式環を完成させ得；Ｒ３は、水素、ヒドロキシル、Ｃ１〜４アルコキシまたはフッ素であり；Ｒ４は、Ｃ１〜４アルキル、ハロゲン、ニトリル、Ｃ１〜６アルキルチオール、トリフルオロメチル、ＨＯによって置換されたＣ１〜４アルキルまたはＣ１〜３アルコキシから選択され、Ｒ５は、水素、ハロゲン、Ｃ１〜４アルコキシ、ニトリルであり、Ｗは、水素またはＣ（＝Ｏ）Ｃ１〜８アルキルである、
組成物。
【請求項５】
請求項４に記載の組成物であって、ここで、前記化合物は、：Ｒ１、Ｒ３およびＲ５は、水素であり、Ｒ２は、メチルであり、Ｒ４は、ハロゲン、メチルまたはトリフルオロメチル、ＨＯによって置換されたＣ１〜４アルキルまたはＣ１〜３アルコキシであり、およびＷは、水素であるとさらに定義される請求項４に記載の、化合物。
【請求項６】
請求項５に記載の組成物であって、ここで、前記化合物は、一級アミンを有する炭素原子でＲ配置を有する立体異性体であるとさらに規定される、組成物。
【請求項７】
請求項４に記載の組成物であって、眼科的に受容可能な防腐剤をさらに含む、組成物。
【請求項８】
請求項４に記載の組成物であって、眼科的に受容可能な界面活性剤をさらに含む、組成物。
【請求項９】
請求項４に記載の組成物であって、粘度を増加させるための薬剤をさらに含む、組成物。
【請求項１０】
請求項９に記載の組成物であって、ここで、前記薬剤は、ヒドロキシメチルセルロース、ヒドロキシエチルセルロース、ヒドロキシプロピルメチルセルロース、メチルセルロースおよびポリビニルピロリドンからなる群から選択される、組成物。
【請求項１１】
請求項４に記載の組成物であって、眼科的に受容可能な防腐剤、眼科的に受容可能な界面活性剤および粘度を増加させるための少なくとも１つの薬剤をさらに含む、組成物。
【請求項１２】
請求項４の組成物であって、約５〜約８のｐＨを有する局所的眼科用懸濁液または眼科用溶剤としてさらに規定される、組成物。
【請求項１３】
請求項１２に記載の組成物であって、ここで、前記化合物の濃度は、０．０１重量％〜５重量％である、組成物。
【請求項１４】
請求項１３に記載の組成物であって、ここで、前記化合物の組成は、０．２５重量％〜２重量％である、組成物。
【請求項１５】
請求項４に記載の組成物であって、β−遮断薬、プロスタグランジン、カルボニックアンヒドラ−ゼ阻害剤、α−２アゴニストおよび縮瞳薬からなる群から選択される少なくとも１つの薬剤をさらに含む、組成物。
【請求項１６】
請求項４に記載の組成物であって、カルシウムチャネル遮断薬およびＮＭＤＡアンタゴニストからなる群から選択される少なくとも１つの薬剤をさらに含む、組成物。
【請求項１７】
哺乳動物における眼内圧を低減するための組成物であって、該組成物は、以下の構造を有する治療的有効量の化合物を含み：
【化３】
2005511764.tif 000003
ここで、Ｒ１は、水素またはＣ１〜４アルキルであり；Ｒ２は、水素、Ｃ１〜４アルキル、あるいはＲ１およびＲ２は（ＣＨ２）２〜４と一緒になって、複素環式環を完成させ得；Ｒ３は、水素、ヒドロキシル、Ｃ１〜４アルコキシまたはフッ素であり；Ｒ４は、Ｃ１〜４アルキル、ハロゲン、ニトリル、Ｃ１〜６アルキルチオール、トリフルオロメチル、ＨＯによって置換されたＣ１〜４アルキルまたはＣ１〜３アルコキシから選択され、Ｒ５は、水素、ハロゲン、Ｃ１〜４アルコキシ、ニトリルであり、Ｗは、水素またはＣ（＝Ｏ）Ｃ１〜８アルキルである、組成物。
【請求項１８】
請求項１７に記載の組成物であって、ここでＲ１、Ｒ３およびＲ５は、水素であり、Ｒ２は、メチルであり、Ｒ４はハロゲン、メチルまたはトリフルオロメチル、ＨＯによって置換されるＣ１〜４アルキルあるいはＣ１〜３アルコキシであり、Ｗは、水素である、組成物。
【請求項１９】
請求項１８に記載の組成物であって、ここで、前記化合物は、一級アミンを有する炭素原子でＲ配置を有する立体異性体であるとさらに規定される、組成物。
【請求項２０】
請求項１７に記載の組成物であって、ここで、該組成物は、局所的眼科用懸濁液または眼科用溶剤の形態である、組成物。
【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
表面へのカビの付着を減少させるための、モノテルペン、セスキテルペンおよび／またはジテルペンおよびそれらの誘導体の使用。
【請求項２】
モノテルペン、セスキテルペンおよび／またはジテルペンまたはそれらの誘導体が、ゲラニオール、ネロール、リナロール、ツヨン、ファルネソール、ファルネソル酸、α−ファルネセン、β−ファルネセン、ネロリドール、ビサボレン、セスキフェランドレン、ジンギベレン、カジネン、アリールツメロン、ツメロン、キサントルヒゾール、バルガレン、β−セリネンおよびゲラニルゲラニオールから、特に、ファルネソールおよびファルネソル酸、好ましくはファルネソールから、選択されることを特徴とする請求項1に記載の使用。
【請求項３】
カビが、子嚢菌門、担子菌門、接合菌門および不完全菌門から、好ましくは、アスペルギルス属、ペリシリウム属、クラドスポリウム属およびケカビ属の全ての種から選択されることを特徴とする請求項1または2に記載の使用。
【請求項４】
アスペルギルス属の全ての種、特に下記の種から選択されるカビの付着を防止することを特徴とする請求項1〜3のいずれか1つに記載の使用：
Aspergillus aculeatus、Aspergillus albus、Aspergillus alliaceus、Aspergillus asperescens、Aspergillus awamori、Aspergillus candidus、Aspergillus carbonarius、Aspergillus carneus、Aspergillus chevalieri、Aspergillus chevalieri var. intermedius、Aspergillus clavatus、Aspergillus ficuum、Aspergillus flavipes、Aspergillus flavus、Aspergillus foetidus、Aspergillus fumigatus、Aspergillus giganteus、Aspergillus humicola、Aspergillus intermedius、Aspergillus japonicus、Aspergillus nidulans、Aspergillus niger、Aspergillus niveus、Aspergillus ochraceus、Aspergillus oryzae、Aspergillus ostianus、Aspergillus parasiticus、Aspergillus parasiticus var. globosus、Aspergillus penicillioides、Aspergillus phoenicis、Aspergillus rugulosus、Aspergillus sclerotiorum、Aspergillus sojae var. gymnosardae、Aspergillus sydowi、Aspergillus tamarii、Aspergillus terreus、Aspergillus terricola、Aspergillus toxicarius、Aspergillus unguis、Aspergillus ustus、Aspergillus versicolor、Aspergillus vitricolaeおよびAspergillus wentii。
【請求項５】
モノテルペン、セスキテルペンおよび／またはジテルペンまたはそれらの誘導体が、非殺真菌性または非静真菌性の最終濃度で使用されることを特徴とする請求項1〜4のいずれか1つに記載の使用。
【請求項６】
モノテルペン、セスキテルペンおよび／またはジテルペンまたはそれらの誘導体が、0.000001〜3wt％の濃度で使用されることを特徴とする請求項1〜5のいずれか1つに記載の使用。
【請求項７】
洗濯用洗剤、洗浄剤、リンス剤、手洗い用調製物、手動食器洗い用洗剤、食器洗浄機用洗剤、および包装材料、濾過材、接着剤、建築材料、建築補助材、繊維製品、ペルト、紙、皮またはなめし革の処理用調製物から選択される調製物において、モノテルペン、セスキテルペンおよび／またはジテルペンが使用されることを特徴とする請求項1〜6のいずれか1つに記載の使用。
【請求項８】
繊維製品、セラミック、金属、濾過材、建築材料、建築補助材、ペルト、紙、皮、なめし革および／またはプラスチックへの、またはその中への、カビの付着を防止することを特徴とする請求項1〜7のいずれか1つに記載の使用。
【請求項９】
モノテルペン、セスキテルペンおよび／またはジテルペンおよびそれらの誘導体を含有する濾過材、建築材料、建築補助材、ペルトまたは皮の処理用組成物。
【請求項１０】
請求項9に記載の組成物で処理した濾過材、建築材料、建築補助材、ペルトまたは皮。
【請求項１１】
0.000001〜3wt％のモノテルペン、セスキテルペンおよび／またはジテルペンまたはそれらの誘導体を含有する接着剤。
【請求項１２】
水を基剤とすることを特徴とする請求項11に記載の接着剤。
【請求項１３】
壁紙および同様の壁被覆材料用の接着剤であることを特徴とする請求項11または12に記載の接着剤。
【請求項１４】
0.000001〜3wt％のモノテルペン、セスキテルペンおよび／またはジテルペンまたはそれらの誘導体を含有する封止用コンパウンド。
【請求項１５】
目地仕上用コンパウンドであることを特徴とする請求項14に記載の封止用コンパウンド。
【手続補正２】
【補正対象書類名】明細書
【補正対象項目名】００４５
【補正方法】変更
【補正の内容】
【００４５】
好適な例は、式（III）および（IV）の第四アンモニウム化合物であり、
【化３】
2005511759.tif 000001
【化４】
2005511759.tif 000002
式（III）において、RaおよびRbは、12〜24個の炭素原子を有する非環状アルキル基を表し；Rcは、飽和C1〜4アルキルまたはヒドロキシアルキル基であり；Rdは、Ra、RbまたはRcと同じかまたは芳香族基を表す。X−は、ハロゲンイオン、メト硫酸、メト燐酸または燐酸イオンまたはそれらの混合物である。式（III）のカチオン化合物の例は、ジデシルジメチルアンモニムクロリド、ジタロージメチルアンモニウムクロリドまたはジヘキサデシルアンモニウムクロリドである。
【手続補正書】
【提出日】平成17年11月25日(2005.11.25)
【手続補正１】
【補正対象書類名】明細書
【補正対象項目名】００２８
【補正方法】変更
【補正の内容】
【００２８】
本明細書において「標準的な下痢止め」とは、限定されるものではないが、オピウム、アヘン安息香（paregoric）およびコデインのチンキなどの天然オピオイド類；ジフェノキシレート、ジフェノキシンおよびロペラミドなどの合成オピオイド類；次サリチル酸ビスマス；オクトレオチド；モチリンアンタゴニスト；およびカオリン、ペクチン、ベルベリンおよびムスカリン剤などの伝統的な下痢止め薬が挙げられる。下痢止め剤は治療サイクルを通じて予防的手段として投与するか、または下痢が起こった際に必要に応じて投与する。下痢止め剤はエポチロン、特にエポチロンＢの投与にも時として付随するが、カルチノイド症候群の症状の一つでもある下痢を予防、制御または除去するために投与する。
【手続補正２】
【補正対象書類名】明細書
【補正対象項目名】００４３
【補正方法】変更
【補正の内容】
【００４３】
式Ｉの化合物または本発明の組合せ剤で用いる化合物の有効用量は用いる特定の化合物または医薬組成物、投与様式、治療するカルチノイド症候群および／または少なくとも一つの神経内分泌系腫瘍の重篤度によって異なり得る。よって、本発明の組合せ剤の投与計画は、投与経路、ならびに患者の腎および肝機能をはじめとする種々の因子に従って選択する。熟練した医師、臨床医または獣医であれば、症状の進行を予防、対抗または停止させるのに必要な式Ｉの化合物または本発明の組合せ剤の単一有効成分の有効量を容易に決定および処方することができる。毒性なく効果をもたらす範囲内で有効成分濃度を達成する上で至適精密化をはかるには、標的部位での有効成分のアベイラビリティーの動態に基づいた投与計画が必要となる。
【手続補正３】
【補正対象書類名】明細書
【補正対象項目名】００４７
【補正方法】変更
【補正の内容】
【００４７】
さらに本発明は、有効成分としての本発明の組合せ剤を、カルチノイド症候群および／または少なくとも一つの神経内分泌系腫瘍の治療におけるその同時使用、個別使用または逐次使用のための使用説明書とともに含む市販パッケージを提供する。
【手続補正４】
【補正対象書類名】明細書
【補正対象項目名】００４８
【補正方法】変更
【補正の内容】
【００４８】
本発明はまた、カルチノイド症候群および／または少なくとも一つの神経内分泌系腫瘍の治療のため、および該疾病の治療のための薬剤の製造ための、本明細書で定義されるような式Ｉの化合物の使用および本発明の組合せ剤の使用を提供する。
【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
哺乳動物における鼻炎を処置するための組成物であって、
該組成物は、Ｈ１アンタゴニスト／抗アレルギー剤と安全なステロイドとを含む薬学的に有効な量の組成物を含み、
該Ｈ１アンタゴニスト／抗アレルギー剤は、エメダスチン、ロラタジン、５−[２−[４−ビス（４−フルオロフェニル）ヒドロキシメチル−１−ピペリジニル]エチル]−３−メチル]−２−オキサゾリジノンエタンジオエート、デスロラタジン、アゼラスチン、オロパ
タジン、レボカバスチン、エピナスチン、およびケトチフェンからなる群より選択され、そして
該安全なステロイドは、リメキソロンである、
組成物。
【請求項２】
請求項１に記載の組成物であって、該組成物は、エメダスチン、オロパタジン、およびデスロラタジンからなる群より選択される、Ｈ１アンタゴニスト／抗アレルギー剤を含む、組成物。
【請求項３】
哺乳動物における鼻炎を処置するための組成物であって、
該組成物は、エメダスチンとリメキソロンとを含む薬学的に有効な量の組成物を含む、
組成物。
【請求項４】
哺乳動物における鼻炎を処置するための組成物であって、
該組成物は、オロパタジンとリメキソロンとを含む薬学的に有効な量の組成物を含む、
組成物。
【請求項５】
哺乳動物における鼻炎を処置するための組成物であって、
該組成物は、デスロラタジンとリメキソロンとを含む薬学的に有効な量の組成物を含む、
組成物。
【手続補正書】
【提出日】平成17年12月6日(2005.12.6)
【手続補正１】
【補正対象書類名】特許請求の範囲
【補正対象項目名】全文
【補正方法】変更
【補正の内容】
【特許請求の範囲】
【請求項１】
有効成分としてBIRB 796 BSを含有するサイトカイン介在性疾患治療用医薬組成物。
【請求項２】
有効成分の各投与量が、150mg未満である、請求項１に記載の医薬組成物。
【請求項３】
有効成分の各投与量が、4〜100mgである、請求項１に記載の医薬組成物。
【請求項４】
有効成分の各投与量が、4、5、15、30、45、60、75又は100mgである、請求項１に記載の医薬組成物。
【請求項５】
サイトカイン介在性疾患が、煙の吸入により生じる肺の急性及び慢性炎症、子宮内膜症、ベーチェット病、ブドウ膜炎及び強直性脊椎炎、膵炎、ライム病、慢性関節リウマチ、炎症性腸疾患、敗血性ショック、変形性関節炎、クローン病、潰瘍性大腸炎、多発性硬化症、ギランバレー症候群、乾癬、移植片対宿主病、全身性エリテマトーデス、経皮的冠動脈形成術後の再狭窄、糖尿病、毒素性ショック症候群、アルツハイマー病、急性及び慢性の疼痛、接触性皮膚炎、アテローム性動脈硬化症、外傷性関節炎、糸球体腎炎、再潅流傷害、敗血症、骨吸収疾患、慢性閉塞性肺疾患、うっ血性心不全、喘息、脳卒中、心筋梗塞、温熱傷害、成人呼吸窮迫症候群（ARDS）、損傷に対する二次的他臓器傷害、急性炎症性コンポーネントを伴う皮膚病、急性化膿性髄膜炎、壊死性腸炎、及び血液透析、白血球交換療法又は顆粒球注入に関連する症候群から選ばれる、請求項１〜４のいずれか１項に記載の医薬組成物。
【請求項６】
疾患が、慢性関節リウマチ、変形性関節炎、クローン病、乾癬、潰瘍性大腸炎、骨粗鬆症、慢性閉塞性肺疾患、経皮的冠動脈形成術後の再狭窄及びうっ血性心不全から選ばれる、請求項５に記載の医薬組成物。
【請求項７】
疾患が、慢性関節リウマチ、変形性関節炎、クローン病及び乾癬から選ばれる、請求項６に記載の医薬組成物。
【請求項８】
有効成分の各投与量が、30、50、60、70又は90mgである、請求項３に記載の医薬組成物。
【請求項９】
疾患が、慢性関節リウマチ、クローン病及び乾癬から選ばれる、請求項８に記載の医薬組成物。
【請求項１０】
有効成分の各投与量が50又は70mgであり、疾患が慢性関節リウマチである、請求項８に記載の医薬組成物。
【請求項１１】
有効成分の各投与量が50、60、70又は90mgであり、疾患がクローン病である、請求項８に記載の医薬組成物。
【請求項１２】
有効成分の各投与量が30、50又は70mgであり、疾患が乾癬である、請求項８に記載の医薬組成物。
【請求項１３】
サイトカイン介在性疾患治療用医薬組成物を製造するためのBIRB 796 BSの使用。
【手続補正書】
【提出日】平成17年12月5日(2005.12.5)
【手続補正１】
【補正対象書類名】特許請求の範囲
【補正対象項目名】全文
【補正方法】変更
【補正の内容】
【特許請求の範囲】
【請求項１】
反応器中で、第三アミンの存在下で、反応体としてのアクリロニトリル（ＡＣＮ）とシアン化水素（ＨＣＮ）とを接触させることによってスクシノニトリル（ＳＮ）を製造する方法において、該方法が、水、脂肪族アルコール、芳香族アルコール、カルボン酸およびそれらの混合物から成る群から選択される化合物の存在下で行われることを特徴とする方法。
【請求項２】
該化合物が、水、脂肪族アルコールおよびそれらの混合物から成る群から選択される、請求項１記載の方法。
【請求項３】
該化合物が、反応体に対して計算して、少なくとも１重量％の量で存在することを特徴とする、請求項１記載の方法。
【請求項４】
該化合物が水を含むことを特徴とする、請求項１〜３のいずれか１項記載の方法。
【請求項５】
該化合物がＣ１〜Ｃ１２アルコールの群から選択される脂肪族アルコールを含むことを特徴とする、請求項１〜４のいずれか１項記載の方法。
【請求項６】
該化合物がフェノールまたは置換されたフェノールを含むことを特徴とする、請求項１または請求項３〜５のいずれか１項記載の方法。
【請求項７】
該化合物が、酢酸、プロピオン酸、酪酸およびイソ酪酸の群から選択されるカルボン酸を含むことを特徴とする、請求項１または請求項３〜６のいずれか１項記載の方法。
【請求項８】
第三アミンがトリアルキルアミンであることを特徴とする、請求項１〜７のいずれか１項記載の方法。
【請求項９】
トリアルキルアミンがトリエチルアミンであることを特徴とする、請求項８記載の方法。
【請求項１０】
第三アミンが、反応器中に存在する、ＡＣＮ、ＨＣＮおよび／またはそれらの反応生成物；水、脂肪族アルコール、芳香族アルコール、カルボン酸およびそれらの混合物から成る群から選択される化合物；第三アミン；および任意の非反応性希釈剤の合計に対して計算して、少なくとも２重量％の濃度で存在することを特徴とする、請求項１〜９のいずれか１項記載の方法。
【請求項１１】
ＡＣＮおよびＨＣＮを少なくとも１．０：１から高々１．２５：１までのＡＣＮ：ＨＣＮモル比で接触させることを特徴とする、請求項１〜１０のいずれか１項記載の方法。
【請求項１２】
ＡＣＮが、反応器中に存在する、ＡＣＮ、ＨＣＮおよび／またはそれらの反応生成物；水、脂肪族アルコール、芳香族アルコール、カルボン酸およびそれらの混合物から成る群から選択される化合物；第三アミン；および任意の非反応性希釈剤の合計に対して計算して、高々３５重量％の濃度で存在することを特徴とする、請求項１〜１１のいずれか１項記載の方法。
【請求項１３】
該方法が非反応性希釈剤の存在下で行われることを特徴とする、請求項１〜１２のいずれか１項記載の方法。
【請求項１４】
非反応性希釈剤がスクシノニトリルであることを特徴とする、請求項１３記載の方法。
【請求項１５】
スクシノニトリルが、反応器中に存在する、ＡＣＮ、ＨＣＮおよび／またはそれらの反応生成物；水、脂肪族アルコール、芳香族アルコール、カルボン酸およびそれらの混合物から成る群から選択される化合物；第三アミン；およびスクシノニトリルの合計に対して計算して、少なくとも４０重量％の濃度で存在することを特徴とする、請求項１４記載の方法。
【請求項１６】
該方法が６０℃〜８０℃の温度で行われることを特徴とする、請求項１〜１５のいずれか１項記載の方法。
【手続補正２】
【補正対象書類名】明細書
【補正対象項目名】００２５
【補正方法】変更
【補正の内容】
【００２５】
ＡＣＮ濃度を制御する方法は、非反応性希釈剤中で上記方法を行うことである。非反応性希釈剤は、ＡＣＮ、ＨＣＮ、第三アミン、および水、脂肪族アルコール、芳香族アルコール、カルボン酸およびそれらの混合物から成る群から選択される化合物に関して不活性である液体を意味する。反応混合物が非反応性希釈剤を含むように上記方法を行うことの利点は、ＡＣＮの濃度が低く保持され得ること、およびＴＣＢが、形成されるＳＮの量に対してより少ない量で形成されることである。適する非反応性希釈剤は、例えば、ヘキサン、トルエンおよびＳＮである。好ましくは、非反応性希釈剤がＳＮである。より好ましくは、ＳＮが、反応器中に存在する、ＡＣＮ、ＨＣＮおよび／またはそれらの反応生成物；水、脂肪族アルコール、芳香族アルコール、カルボン酸およびそれらの混合物から成る群から選択される化合物；第三アミン；およびスクシノニトリルの合計に対して計算して、少なくとも４０重量％の量で存在する。ＳＮは、非常に高い量ですら存在し得る。その量は、プロセス効率の理由故に、例えば、上記合計に対して計算して９５重量％以下である。
【手続補正書】
【提出日】平成17年7月21日(2005.7.21)
【手続補正１】
【補正対象書類名】明細書
【補正対象項目名】００４６
【補正方法】変更
【補正の内容】
【００４６】
図２に示した装置でプロピレンのヒドロホルミル化を以下の反応条件で実施する：
反応器容積：                                      １４Ｌ
圧力：                                            ２．１ＭＰａ
温度：                                            １２０℃
合成ガス供給量（全量）：                          ４Ｎｍ3 ／時* 
プロピレンの供給量：                              ５．０ｋｇ／時
反応器液状内容物の滞留時間：                      ０．７時間
ロジウム濃度：                                    ６００ｐｐｍ
全反応溶液を基準とするトリフェニルホスフィン濃度：３０％
＊：Ｎｍ3 ／時は１時間当たりの標準立方メートル、即ち２７３Ｋの温度および１０１３ｍｂａｒの圧力で１立方メートルを意味する。
【手続補正２】
【補正対象書類名】明細書
【補正対象項目名】００４８
【補正方法】変更
【補正の内容】
【００４８】
導管（２２）を通して追加的に合成ガスを導管（１０）中に供給する点だけを除いて、実施例１と同様に実施する。導管（２２）を通して供給される合成ガス量はヒドロホルミル化反応器中での合成ガスの供給量を基準として１０〜２０％である。この合成ガス供給は導管（１０）での更なるプロピレンの転化をもたらしそして１４２℃への温度上昇をもたらしおよび残留プロピレン含有量を溶液全量を基準として４重量％に減少させる。実施例１に従う実施態様に比較して抽出塔（１２）中に導管（１０）を通して供給される均一で液状の物質流はより高い温度および少ない残留プロピレン含有量を示す。同様に、実施例１に比較して抽出塔を導管（１４）を通して離れる液状物質流は１１５℃に上昇した温度を有する。その中ではプロピレンはもはや検出できない。
【実施例３】
【手続補正書】
【提出日】平成17年11月29日(2005.11.29)
【手続補正１】
【補正対象書類名】特許請求の範囲
【補正対象項目名】全文
【補正方法】変更
【補正の内容】
【特許請求の範囲】
【請求項１】
有茎皮弁において、または任意の微小血管外科手術において、壊死を予防するための薬学的組成物であって、該薬学的組成物は、治療的有効量の血管拡張組成物を含み、該組成物は、ＮＯもしくはＮＯ供与体または組織内でニトロソチオールの形成を引き起こすプロドラッグを、必要に応じてリドカインと組み合わせて含有し、該薬学的組成物は、局所適用のために処方される、薬学的組成物。
【請求項２】
分子量１０，０００までの亜硝酸アルキルを含有する、請求項１に記載の薬学的組成物。
【請求項３】
前記亜硝酸アルキルが、亜硝酸エチルである、請求項２に記載の薬学的組成物。
【請求項４】
Ｓ−ニトロソチオールを含有する、請求項１に記載の薬学的組成物。
【請求項５】
前記Ｓ−ニトロソチオールが、シクロデキストリンＮＯである、請求項４に記載の薬学的組成物。
【請求項６】
金属ニトロシルを含有する、請求項１に記載の薬学的組成物。
【請求項７】
薬物を送達する薬学的組成物であって、該薬学的組成物は、該薬物は、１μＭ〜１００ｍＭのニトロシル化ポリチオール化シクロデキストリンまたは他のニトロシル化ポリマーもしくはシクロデキストリンにより例示される長寿命ゲルコーティング等価物を含有するゲル中もしくは溶液中または薬学的基剤中に取り込まれた薬物を含むか、あるいは、一酸化窒素を送達するコーティングを含み、該組成物が、皮膚に局所的に、または胃腸管に局所的に投与されるために処方される、
薬学的組成物。
【請求項８】
前記薬物が、１μＭ〜１００ｍＭのニトロシル化ポリチオレート化シクロデキストリンを含むゲル中に、治療的有効量で取り込まれる、請求項７に記載の薬学的組成物。
【手続補正書】
【提出日】平成17年8月12日(2005.8.12)
【手続補正１】
【補正対象書類名】明細書
【補正対象項目名】０００６
【補正方法】変更
【補正の内容】
【０００６】
個々の成分を、特に高温燃料電池の場合にシーリングするために、従来技術においてはなかでも低い弾性のガラス溶接が使用されている。この場合には、発生する熱応力によってひび割れ形成および剥離の危険がある。更に従来技術によれば、比較的に高い熱膨張係数の例えば金属的両極板と膨張係数が比較的に小さい現在公知の電極−あるいは電解質材料との間に十分な適合性が存在していない。これによって電極と内部コネクターとの間に、燃料電池の内部に機械的損傷をもたらし得る熱応力が発生するという問題がある。
【手続補正２】
【補正対象書類名】明細書
【補正対象項目名】００１８
【補正方法】変更
【補正の内容】
【００１８】
以下において本発明を図面および実施例によって更に説明する。
図１：波形に凹凸を付けた金属製薄板とその両側に配置された充填材を有するシーリングの実施例。
図２：波形に凹凸を付けた金属製薄板とその片側だけに配置された充填材を有するシーリングの実施例。
図３：中空プロフィールを形成する２つの金属層およびその中空部に配置された充填材を有するシーリングの実施例。
図４：中空プロフィールを形成する２つの金属層およびその中空部に配置された充填材を有するシーリングの実施例。
【手続補正３】
【補正対象書類名】明細書
【補正対象項目名】図３
【補正方法】変更
【補正の内容】
【図３】図３は中空プロフィールを形成する２つの金属層およびその中に配置された充填材を有するシーリングの一つの実施例を図示している。
【手続補正４】
【補正対象書類名】明細書
【補正対象項目名】図４
【補正方法】変更
【補正の内容】
【図４】図４は中空プロフィールを形成する２つの金属層およびその中に配置された充填材を有するシーリングの一つの実施例を図示している。
【手続補正書】
【提出日】平成17年12月15日(2005.12.15)
【手続補正１】
【補正対象書類名】特許請求の範囲
【補正対象項目名】全文
【補正方法】変更
【補正の内容】
【特許請求の範囲】
【請求項１】
１）アミドを水性アルカリ性溶液及び／又は懸濁液中でハロゲン又は次亜ハロゲン酸塩と反応させ、そして
２）段階１で得られる反応混合物を次いで少なくとも４０℃の温度の他の水性アルカリ性溶液に加える、
ことを特徴とするアミンの製造方法。
【手続補正書】
【提出日】平成17年11月28日(2005.11.28)
【手続補正１】
【補正対象書類名】明細書
【補正対象項目名】請求項５２
【補正方法】変更
【補正の内容】
【請求項５２】
請求項1-11のいずれか１つに記載の少なくとも１個の置換された1,5-ジアミノペンタン-3- オ−ル化合物及び（又は） 1,5- ビス-(N,N'- ジメチルアミノ)-2,4-ジメチル-3- ピリジン-2- イルペンタン-3- オール及び（又は） 2,6- ビス-[(N,N'-ジメチルアミノ) メチル]-1-フェニルシクロヘキサノール及び（又は） 2,6- ビス-[(N,N'-ジメチルアミノ) メチル]-1-ピリジン-2- イルシクロヘキサノール及び（又は） 2,7- ビス-[(N,N'-ジメチルアミノ) メチル]-1-ピリジン-2- イルシクロヘプタノールを慢性及び（又は）非慢性苦痛を克服するための医薬の製造に使用する方法。
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
Ｎ−置換３−アミノ−アクリル酸エステルをハロゲンアルキルカルボン酸無水物と塩基の存在で反応させることを特徴とする、２−ハロゲンアシル−３−アミノ−アクリル酸−エステルの製造方法。
【請求項２】
ａ）  Ｎ−置換３−アミノ−アクリル酸エステルをハロゲンアルキルカルボン酸無水物と塩基の存在で反応させて２−ハロゲンアシル−３−アミノ−アクリル酸−エステルにし、かつ
ｂ）  この２−ハロゲンアシル−３−アミノ−アクリル酸−エステルをヒドラジンと反応させることを特徴とする、３−ハロゲンアルキル−４−ピラゾールカルボン酸エステルの製造方法。
【請求項３】
ａ）  ３−アミノ−アクリル酸エステルをハロゲンアルキルカルボン酸無水物と塩基の存在で反応させて、２−ハロゲンアシル−３−アミノ−アクリル酸−エステルにし、かつ
ｂ）  この２−ハロゲンアシル−３−アミノ−アクリル酸−エステルをヒドラジンと反応させて、３−ハロゲンアルキル−４−ピラゾールカルボン酸エステルにし、かつ
ｃ）  このハロゲンアルキル−４−ピラゾールカルボン酸エステルを酸性又は塩基性けん化することを特徴とする、３−ハロゲンアルキル−４−ピラゾールカルボン酸又はその塩の製造方法。
【請求項４】
請求項２記載の方法により製造された３−ハロゲンアルキル−４−ピラゾールカルボン酸エステルの、医薬及び農薬の製造のための使用。
【請求項５】
請求項３記載の方法により製造されたピラゾール−４−カルボン酸もしくはその塩の、医薬及び農薬の製造のための使用。
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
肺癌および該肺癌の脳転移に罹患したヒトにおいて選択的に神経性進行を遅滞させるための組成物であって、少なくとも５．０ｍｇ／Ｋｇの式Ｉの化合物：
【化１】
2005511719.tif 000001
を含有する、組成物。
【請求項２】
肺癌および該肺癌の脳転移に罹患したヒトにおいて選択的に神経性進行を延長させるための組成物であって、少なくとも５．０ｍｇ／Ｋｇの式Ｉの化合物を含有する、組成物。
【請求項３】
肺癌および該肺癌の脳転移に罹患したヒトにおいて選択的に記憶機能の衰退時間を延長させるための組成物であって、少なくとも５．０ｍｇ／Ｋｇの式Ｉの化合物を含有する、組成物。
【請求項４】
肺癌および該肺癌の脳転移に罹患したヒトにおいて選択的に実行機能の衰退時間を延長させるための組成物であって、少なくとも５．０ｍｇ／Ｋｇの式Ｉの化合物を含有する、組成物。
【請求項５】
肺癌および該肺癌の脳転移に罹患したヒトにおいて選択的に生存時間を延長させるための組成物であって、少なくとも５．０ｍｇ／Ｋｇの式Ｉの化合物を含有する、組成物。
【請求項６】
前記化合物は、薬学的に受容可能なキャリアを含有する注射可能組成物の形態である、請求項１に記載の組成物。
【請求項７】
前記化合物は、薬学的に受容可能なキャリアを含有する注射可能組成物の形態である、請求項２に記載の組成物。
【請求項８】
前記化合物は、薬学的に受容可能なキャリアを含有する注射可能組成物の形態である、請求項３に記載の組成物。
【請求項９】
前記化合物は、薬学的に受容可能なキャリアを含有する注射可能組成物の形態である、請求項４に記載の組成物。
【請求項１０】
前記化合物は、薬学的に受容可能なキャリアを含有する注射可能組成物の形態である、請求項５に記載の組成物。
【請求項１１】
肺癌および該肺癌の脳転移に罹患したヒトにおいて選択的に神経性進行を遅滞させる／遅くするために有用な医薬の調製のための式Ｉの化合物の使用。
【請求項１２】
肺癌および該肺癌の脳転移に罹患したヒトにおいて選択的に神経性進行の時間を延長させる／改善するために有用な医薬の調製のための式Ｉの化合物の使用。
【請求項１３】
肺癌および該肺癌の脳転移に罹患したヒトにおいて選択的に記憶機能の衰退時間を延長させるために有用な医薬の調製のための式Ｉの化合物の使用。
【請求項１４】
肺癌および該肺癌の脳転移に罹患したヒトにおいて選択的に実行機能の衰退時間を延長させるために有用な医薬の調製のための式Ｉの化合物の使用。
【請求項１５】
肺癌および該肺癌の脳転移に罹患したヒトにおいて選択的に生存時間を延長させる／改善するために有用な医薬の調製のための式Ｉの化合物の使用。
【請求項１６】
前記医薬は、薬学的に受容可能なキャリアを含有する注射可能組成物の形態である、請求項１１〜１５に記載の使用。
【手続補正書】
【提出日】平成17年7月11日(2005.7.11)
【手続補正１】
【補正対象書類名】特許請求の範囲
【補正対象項目名】請求項１３
【補正方法】変更
【補正の内容】
【請求項１３】
前記鋼を溶体化焼鈍する工程は、鋼の意図される使用温度および８７１℃のうちの少なくとも高い方の温度で前記鋼を加熱する工程を含む、請求項１１記載の方法。
【手続補正書】
【提出日】平成17年12月5日(2005.12.5)
【手続補正１】
【補正対象書類名】特許請求の範囲
【補正対象項目名】請求項１
【補正方法】変更
【補正の内容】
【請求項１】
(a)少なくとも一つのアルキレンジオール及び少なくとも一つの芳香族ジカルボン酸又はこれらのエステルから誘導される繰り返し単位から構成されるポリエステルハードセグメントと、実質的に無定形でありかつ0℃未満のガラス転移温度(Tg)を有する可とう性ポリエーテルである脂肪族ポリエーテルソフトセグメントとから本質的に成り、かつ46より小さなショアーD硬度を有する少なくとも一つのコポリエーテルエステル、及び
(b)成分(a)のポリエステルハードセグメントと相溶性であるところの、60より大きなショアーD硬度を持つ少なくとも一つのポリエステル
の後縮合されたブレンドから本質的に成り、ここで成分(a)及び成分(b)が9/1〜1/9の質量比で存在するコポリエーテルエステル組成物であって、ASTM  D5026に従って、1Hzにおいて動的に引き伸ばされた試験試料について動的機械的スペクトロメーターにより測定された、500MPaより小さい−40℃におけるモジュラス及び10MPaより大きい190℃におけるモジュラス、並びに240℃及び1秒‐1の剪断速度において測定された、少なくとも1kPa.sの溶融粘度を有するところの組成物。
【手続補正２】
【補正対象書類名】明細書
【補正対象項目名】０００６
【補正方法】変更
【補正の内容】
【０００６】
この目的は、
(a)少なくとも一つのアルキレンジオール及び少なくとも一つの芳香族ジカルボン酸又はこれらのエステルから誘導される繰り返し単位から構成されるポリエステルハードセグメントと、実質的に無定形でありかつ0℃未満のガラス転移温度(Tg)を有する可とう性ポリエーテルである脂肪族ポリエーテルソフトセグメントとから本質的に成り、かつ46より小さなショアーD硬度を有する少なくとも一つのコポリエーテルエステル、及び
(b)成分(a)のポリエステルハードセグメントと相溶性であるところの、60より大きなショアーD硬度を持つ少なくとも一つのポリエステル
の後縮合されたブレンドから本質的に成り、ここで成分(a)及び成分(b)が9/1〜1/9の質量比で存在するコポリエーテルエステル組成物であって、ASTM  D5026に従って、1Hzにおいて動的に引き伸ばされた試験試料について動的機械的スペクトロメーターにより測定された、500MPaより小さい−40℃におけるモジュラス及び10MPaより大きい190℃におけるモジュラス、並びに240℃及び1秒‐1の剪断速度において測定された、少なくとも1kPa.sの溶融粘度を有するところの組成物により本発明に従って達成された。
【手続補正書】
【提出日】平成17年11月2日(2005.11.2)
【手続補正１】
【補正対象書類名】特許請求の範囲
【補正対象項目名】全文
【補正方法】変更
【補正の内容】
【特許請求の範囲】
【請求項１】
ポリ（エーテルイミド）の合成方法であって、次式のビス（イミド）（IV）
【化１】
2005511836.tif 000001
（式中、アルキル部分は炭素原子数１〜１８の直鎖又は枝分れアルキル基であり、Ｓは炭素原子数２〜２０の直鎖又は枝分れアルキレン基、炭素原子数３〜２０のシクロアルキレン基、炭素原子数６〜２０のアリーレン基、及びこれらのハロゲン化誘導体からなる群から選択される二価基である。）と、ニトロ、ブロモ、フルオロ及びクロロからなる群から選択される置換基を有する置換フタル酸無水物とのイミド交換反応を行って、次式の二無水物（Ｖ）
【化２】
2005511836.tif 000002
を生成させ、二無水物（Ｖ）を次式のジアミン（VI）
【化３】
2005511836.tif 000003
（式中、Ｒは炭素原子数６〜２０の二価置換又は非置換芳香族炭化水素基及びそのハロゲン化誘導体、炭素原子数２〜２０の二価置換又は非置換直鎖又は枝分れアルキレン基、炭素原子数３〜２０の二価置換又は非置換シクロアルキレン基、並びに次の一般式（XII）の二価基
【化４】
2005511836.tif 000004
（式中、Ｑは−Ｏ−、−Ｓ−、−Ｃ(Ｏ)−、−ＳＯ２−、ＣｙＨ２ｙ−（式中、ｙは１〜５の整数である。）及びそのハロゲン化誘導体からなる群から選択される二価部分である。）からなる群から選択される。）と反応させることを含んでなる方法。
【請求項２】
置換フタル酸無水物とのイミド交換反応が置換Ｎ−アルキルフタルイミドを生じる、請求項１記載の方法。
【請求項３】
置換Ｎ−アルキルフタルイミドがビスイミド（IV）の製造で使用するためにリサイクルされる、請求項２記載の方法。
【請求項４】
置換フタル酸無水物が３−置換フタル酸無水物と４−置換フタル酸無水物の混合物である、請求項１記載の方法。
【請求項５】
３−置換フタル酸無水物が３−クロロフタル酸無水物であり、４−置換フタル酸無水物が４−クロロフタル酸無水物である、請求項４記載の方法。
【請求項６】
イミド交換反応が３−置換Ｎ−アルキルフタルイミドと４−置換Ｎ−アルキルフタルイミドの混合物を生じる、請求項４記載の方法。
【請求項７】
３−置換Ｎ−アルキルフタルイミドと４−置換Ｎ−アルキルフタルイミドの混合物がビスイミド（IV）の製造で使用するためにリサイクルされる、請求項６記載の方法。
【請求項８】
二無水物の合成方法であって、次式のビス（イミド）（IV）
【化５】
2005511836.tif 000005
（式中、アルキル部分は炭素原子数１〜１８の直鎖又は枝分れアルキル基であり、Ｓは炭素原子数２〜２０の直鎖又は枝分れアルキレン基、炭素原子数３〜２０のシクロアルキレン基、炭素原子数６〜２０のアリーレン基、及びこれらのハロゲン化誘導体からなる群から選択される二価基である。）のイミド交換反応を、ニトロ、ブロモ、フルオロ及びクロロからなる群から選択される置換基を有する置換フタル酸無水物の存在下で行って、次式の二無水物（Ｖ）
【化６】
2005511836.tif 000006
を生成させることを含んでなる方法。
【請求項９】
ポリ（エーテルイミド）の合成方法であって、次式のビス（イミド）（IV）
【化７】
2005511836.tif 000007
（式中、アルキル部分は炭素原子数１〜１８の直鎖又は枝分れアルキル基であり、Ｓは炭素原子数２〜２０の直鎖又は枝分れアルキレン基、炭素原子数３〜２０のシクロアルキレン基、炭素原子数６〜２０のアリーレン基、及びこれらのハロゲン化誘導体からなる群から選択される二価基である。）と、ニトロ、クロロ、フルオロ及びブロモからなる群から選択される置換基を有する４−置換テトラヒドロフタル酸無水物とのイミド交換反応を行って、次式の二無水物（Ｖ）
【化８】
2005511836.tif 000008
を生成させ、二無水物（Ｖ）を次式のジアミン（VI）
【化９】
2005511836.tif 000009
（式中、Ｒは炭素原子数６〜２０の二価置換又は非置換芳香族炭化水素基及びそのハロゲン化誘導体、炭素原子数２〜２０の二価置換又は非置換直鎖又は枝分れアルキレン基、炭素原子数３〜２０の二価置換又は非置換シクロアルキレン基、並びに次の一般式（Ｘ）の二価基
【化１０】
2005511836.tif 000010
（式中、Ｑは−Ｏ−、−Ｓ−、−Ｃ(Ｏ)−、−ＳＯ２−、ＣｙＨ２ｙ−（式中、ｙは１〜５の整数である。）及びそのハロゲン化誘導体からなる群から選択される二価部分である。）からなる群から選択される。）と反応させることを含んでなる方法。
【請求項１０】
二無水物の合成方法であって、次式のビス（イミド）（IV）
【化１１】
2005511836.tif 000011
（式中、アルキル部分は炭素原子数１〜１８の直鎖又は枝分れアルキル基であり、Ｓは炭素原子数２〜２０の直鎖又は枝分れアルキレン基、炭素原子数３〜２０のシクロアルキレン基、又は炭素原子数６〜２０のアリーレン基からなる群から選択される二価基である。）のイミド交換反応を、クロロ、ブロモ、フルオロ及びニトロからなる群から選択される置換基を有する４−置換テトラヒドロフタル酸無水物の存在下で行って、次式の二無水物（Ｖ）
【化１２】
2005511836.tif 000012
を生成させることを含んでなる方法。
【手続補正書】
【提出日】平成17年12月6日(2005.12.6)
【手続補正１】
【補正対象書類名】明細書
【補正対象項目名】００１６
【補正方法】変更
【補正の内容】
【００１６】
図３：異なる時間水に浸漬したサンプルを取り、乾燥し、ブリスターがどの程度大きくなっているかを示す。光学顕微鏡写真は、ａ)１０分間、ｂ)２０分間、およびｃ)３０分間、４０℃で水に浸漬した２００nmのフィルムを示している。
図４：水からフィルムを除去し、ブリスターを壊し、クレーターを形成する。ポリマーが支持体に向かって壊れ、しわとなって、この図中の画像に示されているリングを生じさせる。
図５：クレーターの直径および深さの測定は光学顕微鏡と原子間力顕微鏡を用いて行う。
【手続補正２】
【補正対象書類名】明細書
【補正対象項目名】００２０
【補正方法】変更
【補正の内容】
【００２０】
この試験で用いられたポリマーは、ポリ(Ｄ,Ｌ−ラクチド)(ＰＬＡ)と呼ばれる、低分子量(１２kDa)ポリエステルであった。保持されたフィルムは、単結晶シリコンの１cm2の支持体上にクロロホルム溶液のポリマーをスピン・コートし、そして４０℃で１時間アニールすることによって形成した。用いられたシリコンは、Compart technology から購入し、[１００]軸に平行に切断した。支持体はそれぞれ、典型的に厚さ１.８nmの天然の酸化物のコーティングを有した。ポリマーは、AstraZeneca (UK) Ltd から購入した。ポリマーフィルムの厚さは、偏光解析法を用いて測定した。調べた厚さの範囲は、２２〜３００nmであった。粗さの測定もまた、アニールされたフィルムについてＡＦＭを用いて行い、ｒ.ｍ.ｓ.の粗さは典型的に０.５nmであることが見出された。
【手続補正３】
【補正対象書類名】明細書
【補正対象項目名】００２９
【補正方法】変更
【補正の内容】
【００２９】
クレーターの直径を測定すると共に、ＡＦＭは、サンプルのトポロジーを画像化するために用いられ得る。これは、クレーターが典型的に１０−１００nmの深さであり、クレーターの深さがフィルムの厚さを変えることによって制御され得ることを示した。４０℃で５分間浸漬したサンプルにおけるフィルムの厚さの関数として、クレーターの深さを図７に示す。このグラフにおいてプロットされた２個の値は、クレーターの頂点から底の距離ｈｔｂと、フィルムの離れていない部分の頂点の表面からクレーターの底の距離ｈｆｂを表す。この二番目の値がゼロではないことは、フィルムの離れた部分が幾らかの粘性の流れを起こし、フィルムが薄くなることを示す。その結果、フィルムを水から取り出した際に、ブリスター形成した部分が壊れて、フィルムの頂点の上面より下に広がったクレーターが生じる。
【手続補正４】
【補正対象書類名】明細書
【補正対象項目名】００３０
【補正方法】変更
【補正の内容】
【００３０】
水の温度が増大するにつれて、水和したフィルムの粘度は減少すると予測される。このことは、膨潤ストレスの適用が、変形した物体において、より大きな流れを引き起こし、ストレスが消費されるにつれて、フィルムの変形した部分の薄化が大量に起こる。得られたフィルムの厚さにおける最終結果は、より深いクレーターである(図９)。
【手続補正５】
【補正対象書類名】明細書
【補正対象項目名】００３５
【補正方法】変更
【補正の内容】
【００３５】
ポリマーフィルムを堆積する前に支持体を単に磨くことによって、これらのクレーターを一直線に並べることが可能である。この過程のために、クレーターの面積の明らかな変化はなく、磨く工程による支持体の修飾によって引き起こされる異方性接着の結果としてのみ起こるであると信じられている。ミクロンから数１０nmの範囲での次元で自己集積する、単分散対象を整列させ得ることは、多くの適用において非常に興味が持てる。
【手続補正書】
【提出日】平成17年10月28日(2005.10.28)
【手続補正１】
【補正対象書類名】特許請求の範囲
【補正対象項目名】全文
【補正方法】変更
【補正の内容】
【特許請求の範囲】
【請求項１】
枝分れ芳香族ポリカーボネートを製造するための溶融反応法であって、当該方法が、
ジアリールカーボネートと多価アルコールをアルカリ触媒の存在下で反応させてポリカーボネートオリゴマーを製造し、
ポリカーボネートオリゴマーに、式Ｉの枝分れ剤を添加し
ＡＧｙ          （Ｉ）
（式中、ＡはＣ１−２０ポリメチレン、Ｃ２−２０アルキレンもしくはアルキリデン、Ｃ５−３６シクロアルキレンもしくはシクロアルキリデン、Ｃ６−３６アリーレンもしくはアルキルアリーレン又はＣ６−３６アリールアルキレンであり、Ｇは芳香族基に直接結合したヒドロキシル基を１個以上有する芳香族部分であり、ｙは３以上の整数であり、各Ｇは同じでも異なっていてもよい。）、
枝分れ剤を添加せずにポリカーボネートオリゴマーから製造した芳香族ポリカーボネートよりもメルトインデックス比が大きい枝分れ芳香族ポリカーボネートを製造する
ことを含む方法。
【請求項２】
Ｇが以下の式II又は式IIIで表される、請求項１記載の方法。
【化１】
2005511835.tif 000001
【化２】
2005511835.tif 000002
式II又は式III中、Ｒ１は水素、Ｃ１−８アルキル、Ｃ６−２０アリール又はＣ７−２０アリールアルキルであり、全てのＲ１は同じでも異なっていてもよい。
【請求項３】
枝分れ剤がベンジル水素を含まない、請求項１記載の方法。
【請求項４】
枝分れ剤を押出し工程中に添加する、請求項１記載の方法。
【請求項５】
ポリカーボネートオリゴマーのフリース枝分れ点構造の含量が２０００ｐｐｍ未満である、請求項１記載の方法。
【請求項６】
枝分れ剤の反応性官能基がフェノール性ヒドロキシル部分からなる、請求項１記載の方法。
【請求項７】
さらに、炭酸ジエステルを枝分れ剤と共に添加して枝分れ芳香族ポリカーボネートを製造する工程を含み、炭酸ジエステルが式IVで表される化合物群より選択される化合物を含む、請求項１記載の方法。
【化３】
2005511835.tif 000003
（式中、Ｒ１及びＲ２は同じでも異なっていてもよく、フェニル、Ｃ６−２０アリール及びＣ６−２０アリールアルキル基からなる群から選択され、Ｒ１及びＲ２は所望に応じて活性化基で置換されていてもよい。）
【請求項８】
枝分れ剤をポリカーボネートオリゴマーに基づいて０．１〜２モル％の量添加する、請求項１記載の方法。
【請求項９】
枝分れ剤をポリカーボネートオリゴマーの分子量が４０００ダルトンを超えた後に添加する、請求項１記載の方法。
【請求項１０】
枝分れ芳香族ポリカーボネートの製造方法であって、当該方法が、
ジアリールカーボネートと多価アルコールをアルカリ触媒の存在下で反応させてポリカーボネートオリゴマーを製造し、
ポリカーボネートオリゴマーに、式Ｉの化合物からなる群から選択される枝分れ剤と、式IIの化合物からなる群から選択される炭酸ジエステルを添加し、
ＡＧｙ          （Ｉ）
（式中、ＡはＣ１−２０ポリメチレン、Ｃ２−２０アルキレンもしくはアルキリデン、Ｃ５−３６シクロアルキレンもしくはシクロアルキリデン、Ｃ６−３６アリーレンもしくはアルキルアリーレン又はＣ６−３６アリールアルキレンであり、Ｇは芳香族基に直接結合したヒドロキシル基を１個以上有する芳香族部分であり、ｙは３以上の整数であり、各Ｇは同じでも異なっていてもよい。）
【化４】
2005511835.tif 000004
（式中、Ｒ１及びＲ２は同じでも異なっていてもよく、フェニル、Ｃ６−２０アリール及びＣ６−２０アリールアルキル基からなる群から選択され、Ｒ１及びＲ２は所望に応じて活性化基で置換されていてもよい。）
枝分れ剤及び炭酸ジエステルを添加せずにポリカーボネートオリゴマーから製造した枝分れ芳香族ポリカーボネートよりもメルトインデックス比が大きい枝分れ芳香族ポリカーボネートを製造する
ことを含む方法。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
第１および第２主面を有し、かつ、中に作動剤を含む多層フィルム構造物であって、該作動剤がフィルム構造物のトップ部分によってフィルム構造物の第１主面から間隔を置いて配置され、該トップ部分が所定の分離可能な表面要素によって画定され、かつ、フィルム構造物の第１主面が分離可能な表面要素にわたる平面によって画定される多層フィルム構造物を提供する工程と、
該多層フィルム構造物を非弾性的に延伸して、該フィルム構造物の第１主面にわたって分離可能な表面要素を分離し、かつ、隣接する分離された分離可能な表面要素間の間隔によって該作動剤の露出を増大させる工程と、
該フィルム構造物の第１主面を基材の表面に被着する工程と、
該作動剤が該基材の構造表面に接触するように該フィルムの第２主面に圧力をかける工程と
を含み、前記フィルム構造物がトップフィルム層を含み、該トップフィルム層がそれを少なくとも部分的に切断することによって形成された前記分離可能な表面要素を含む、制御可能な表面接触特性を有するフィルム構造物の形成および被着方法。
【請求項２】
請求項１に記載の方法により形成されるフィルム構造物。